(57)【要約】【課題】貯湯タンク内の温水の給湯に関連して省エネ性を向上させることができる貯湯式給湯システムを提供すること。【解決手段】内燃機関６からの排熱を温水として貯える貯湯タンクと、出湯用カランと、貯湯タンクから出湯用カランに送給される温水を調整するための給湯量調整弁３８と、出湯用カランに送給される水を調整するための給水量調整弁４０と、温水の出湯温度を設定する出湯温度設定手段６２と、を具備する貯湯式給湯システム。出湯用カランから出湯する温水の出湯モードを設定するための出湯モード設定手段６４が設けられ、出湯温度を優先する温度優先モードと省エネ性を優先する省エネ優先モードの設定が可能である。【選択図】      図２
2004257711.tif 000002
【特許請求の範囲】
【請求項１】
熱を発生する熱源機と、前記熱源機からの熱を温水として貯える貯湯タンクと、温水を出湯する出湯手段と、前記貯湯タンクから前記出湯手段に送給される温水の給湯量を調整するための給湯量調整弁と、前記出湯手段に送給される水の給水量を調整するための給水量調整弁と、前記温水の出湯温度を設定する出湯温度設定手段と、前記給湯量調整弁及び前記給水量調整弁を制御するための制御手段と、を具備する貯湯式給湯システムであって、
前記出湯手段から出湯する温水の出湯モードを設定するための出湯モード設定手段が設けられ、前記出湯モード設定手段により温度優先モード及び省エネ優先モードの設定が可能であり、
前記出湯モード設定手段により温度優先モードが設定された場合、前記制御手段は、前記出湯手段の出湯温度が設定温度となるように前記給湯量調整弁及び前記給水量調整弁を制御し、前記出湯モード設定手段により省エネ優先モードが設定された場合、前記制御手段は、前記出湯手段の出湯温度が前記設定温度に対して所定温度範囲になるように前記給湯量調整弁及び前記給水量調整弁を制御することを特徴とする貯湯式給湯システム。
【請求項２】
前記貯湯タンクから前記出湯手段に送給される温水の温度を検知するための温度検知センサが設けられ、前記省エネ優先モードが設定された場合において、前記出湯温度設定手段による設定出湯温度と前記温度検知センサの検知温度との温度差が基準温度範囲内であると、前記貯湯タンクからの温水がそそまま前記出湯手段を通して出湯される請求項１に記載の貯湯式給湯システム。
【請求項３】
熱を発生する熱源機と、前記熱源機からの熱を温水として貯える貯湯タンクと、温水を出湯する出湯手段と、前記貯湯タンクから前記出湯手段に送給される温水の給湯量を調整するための給湯量調整弁と、前記出湯手段に送給される水の給水量を調整するための給水量調整弁と、前記温水の出湯温度を設定する出湯温度設定手段と、前記給湯量調整弁及び前記給水量調整弁を制御するための制御手段と、を具備する貯湯式給湯システムであって、
前記出湯手段から出湯する温水の出湯モードを設定するための出湯モード設定手段が設けられ、前記出湯モード設定手段により温度優先モード及び省エネ優先モードの設定が可能であり、
前記出湯モード設定手段により温度優先モードが設定された場合、前記制御手段は、前記出湯手段の出湯温度が設定温度となるように前記給湯量調整弁及び前記給水量調整弁を制御し、前記出湯モード設定手段により省エネ優先モードが設定された場合、前記制御手段は、前記貯湯タンク内の温水の残量が第１所定量になるまでは、前記出湯手段の出湯温度が設定温度となるように前記給湯量調整弁及び前記給水量調整弁を制御し、前記貯湯タンクの内の温水の残量が前記第１所定量になると、前記出湯手段の出湯温度が前記設定温度より低い下方修正温度となるように前記給湯量調整弁及び給水量調整弁を制御することを特徴とする貯湯式給湯システム。
【請求項４】
前記制御手段は、前記省エネ優先モードが設定された場合において、前記貯湯タンク内の温水の残量が前記第１所定量よりも少ない第２所定量になると、前記出湯手段からの出湯量が設定出湯量より少ない下方修正出湯量となるように前記給湯量調整弁及び前記給水調整弁を制御する請求項３に記載の貯湯式給湯システム。
【請求項５】
熱を発生する熱源機と、前記熱源機からの熱を温水として貯える貯湯タンクと、温水を出湯する出湯手段と、前記貯湯タンクから前記出湯手段に送給される温水の給湯量を調整するための給湯量調整弁と、前記出湯手段に送給される水の給水量を調整するための給水量調整弁と、前記温水の出湯温度を設定する出湯温度設定手段と、前記給湯量調整弁及び前記給水量調整弁を制御するための制御手段と、を具備する貯湯式給湯システムであって、
前記出湯手段から出湯する温水の出湯モードを設定するための出湯モード設定手段が設けられ、前記出湯モード設定手段により温度優先モード及び省エネ優先モードの設定が可能であり、
前記出湯モード設定手段により温度優先モードが設定された場合、前記制御手段は、前記出湯手段からの出湯量が設定出湯量となるように前記給湯量調整弁及び前記給水量調整弁を制御し、前記出湯モード設定手段により省エネ優先モードが設定された場合、前記制御手段は、前記貯湯タンク内の温水の残量が所定量になるまでは、前記出湯手段からの出湯量が設定出湯量となるように前記給湯量調整弁及び前記給水量調整弁を制御し、前記貯湯タンクの内の温水の残量が前記所定量になると、前記出湯手段からの出湯量が前記設定出湯量より低い下方修正出湯量となるように前記給湯量調整弁及び給水量調整弁を制御することを特徴とする貯湯式給湯システム。
【請求項６】
熱を発生する熱源機と、前記熱源機からの熱を温水として貯える貯湯タンクと、温水を出湯する出湯手段と、前記貯湯タンクから前記出湯手段に送給される温水の給湯量を調整するための給湯量調整弁と、前記出湯手段に送給される水の給水量を調整するための給水量調整弁と、前記温水の出湯温度を設定するための出湯温度設定手段と、前記給湯量調整弁及び前記給水量調整弁を制御するための制御手段と、を具備する貯湯式給湯システムであって、
前記出湯手段から出湯する温水の出湯モードを設定するための出湯モード設定手段が設けられ、前記出湯モード設定手段により温度優先モード及び省エネ優先モードの設定が可能であり、
前記出湯モード設定手段により省エネ優先モードが設定された場合、前記制御手段は、前記貯湯タンクの現時点の貯湯量と将来の予測給湯熱負荷を用いて所定時間先までの間の熱需要を判定し、前記現時点の貯湯量で所定時間先までの熱需要をまかないきれないと判定したときに前記給湯量調整弁を制御して温水の使用量を少なくすることを特徴とする貯湯式給湯システム。
【請求項７】
前記熱源機は、熱及び電力を発生する熱電併給装置から構成され、前記熱電併給装置には、冷却水を循環するための冷却水循環流路が設けられ、前記貯湯タンクには内部の水を循環するための循環流路が設けられ、前記冷却水循環流路と前記循環流路との間には、冷却水と水との間で熱交換を行うための熱交換器とが設けられている請求項１〜６のいずれかに記載の貯湯式給湯システム。
【発明の詳細な説明】
【０００１】
【発明の属する技術分野】
本発明は、熱源機からの熱を温水として貯える貯湯タンクを備えた貯湯式給湯システムに関する。
【０００２】
【従来の技術】
家庭用コージェネレーションシステムなどに適用される貯湯式給湯システムは、熱源機としての熱源併給装置（例えば、内燃機関と発電機との組合せ）と、熱電併給装置からの排熱を温水として貯える貯湯タンクと、温水を出湯するための出湯手段とを備えている。出湯手段は、例えば、温水を出湯するカランなどであり、このような出湯手段においては、給湯ラインを介して貯湯タンクに接続されているとともに、給水ラインを介して水供給源（例えば、水道管）に接続されている。給湯ラインには給湯量を調整するための給湯量調整弁が配設され、給水ラインには給水量を調整するための給水量調整弁が配設され、給湯量調整弁及び給水量調整弁は制御手段により制御される。このような給湯システムでは、更に、例えばリモコンなどから構成される出湯温度設定手段が設けられ、更に、温水を補助的に生成するための補助ボイラが設けられ、制御手段は、出湯手段から出湯される温水の温度が設定出湯温度となるように、補助ボイラ、給湯量調整弁及び給水量調整弁を制御する。（例えば、特許文献１参照）。
【０００３】
【特許文献１】
特開２００１−３４３１５９号公報
【０００４】
【発明が解決しようとする課題】
このような貯湯式給湯システムにおいては、出湯手段から出湯する温水の温度が常時設定出湯温度となるように構成されており、このことに関連して、次の通りの問題がある。
【０００５】
第１に、貯湯タンクに貯えられた温水の温度と設定出湯温度とがほぼ等しい又は僅かな温度差であると、給湯ラインからの温水と給水ラインからの水とを混合させても設定出湯温度にするのが難しく、このような場合、次の通りにして所望出湯温度の温水を得ている。即ち、補助ボイラが作動され、貯湯タンク内の水が補助ボイラで加熱されて設定出湯温度よりある程度高い温度に保たれ、このようにある程度高い温度に加熱された温水と水とを混合して設定出湯温度の温水にしている。貯湯タンクの温水の温度と設定出湯温度がほぼ同じ又は僅かな温度差であると、貯湯タンク内の温水をそのまま出湯させてもほとんど問題がないにもかかわらず、補助ボイラを作動させてある程度高温の温水を生成しており、それ故に、エネルギー効率が低下し、この給湯システムを含むコージェネレーションシステムのランニングメリット及び省エネ性を圧迫するという問題がある。
【０００６】
第２に、出湯手段から温水の出湯量及び出湯温度を設定すると、貯湯タンク内の温水の貯湯量が少なくなっても設定した出湯量及び出湯温度での出湯が行われ、貯湯タンクの温水の湯切れが発生しやすくなる。湯切れが発生すると、補助ボイラが作動し、この補助ボイラからの温水が給湯ラインを介して出湯手段に送給されるようになり、それ故に、エネルギー効率が低下し、この給湯システムを含むコージェネレーションシステムのランニングメリット及び省エネ性を圧迫するという問題がある。
【０００７】
本発明の目的は、貯湯タンク内の温水の給湯に関連してランニングメリット性及び省エネ性を向上させることができる貯湯式給湯システムを提供することである。
【０００８】
本発明の他の目的は、貯湯タンクの温水の湯切れの発生を少なくすることができる貯湯式給湯システムを提供することである。
【０００９】
【課題を解決するための手段】
本発明の請求項１に記載の貯湯式給湯システムは、熱を発生する熱源機と、前記熱源機からの熱を温水として貯える貯湯タンクと、温水を出湯する出湯手段と、前記貯湯タンクから前記出湯手段に送給される温水の給湯量を調整するための給湯量調整弁と、前記出湯手段に送給される水の給水量を調整するための給水量調整弁と、前記温水の出湯温度を設定する出湯温度設定手段と、前記給湯量調整弁及び前記給水量調整弁を制御するための制御手段と、を具備する貯湯式給湯システムであって、
前記出湯手段から出湯する温水の出湯モードを設定するための出湯モード設定手段が設けられ、前記出湯モード設定手段により温度優先モード及び省エネ優先モードの設定が可能であり、
前記出湯モード設定手段により温度優先モードが設定された場合、前記制御手段は、前記出湯手段の出湯温度が設定温度となるように前記給湯量調整弁及び前記給水量調整弁を制御し、前記出湯モード設定手段により省エネ優先モードが設定された場合、前記制御手段は、前記出湯手段の出湯温度が前記設定温度に対して所定温度範囲になるように前記給湯量調整弁及び前記給水量調整弁を制御することを特徴とする。
【００１０】
この貯湯式給湯システムにおいては、出湯モードが温度優先モード及び省エネ優先モードに設定可能に構成されている。温度優先モードを設定すると、制御手段は、出湯手段からの温水の出湯温度が設定温度となるように給湯量調整弁及び給水量調整弁を制御し、従って、従来と同様に、出湯温度を優先して、設定温度の温水を出湯することができる。また、省エネ優先モードを設定すると、制御手段は、出湯手段からの温水の出湯温度が設定温度に対して所定温度範囲、例えば±３℃の範囲になるように給湯量調整弁及び給水量調整弁を制御するので、貯湯タンク内の温水の温度が設定出湯温度と等しい又はこれとほとんど温度差がないときには、貯湯タンク内の温水がそのまま出湯手段から出湯され、これによって、従来のように補助ボイラを作動させる必要がなくなり、省エネ性を優先して、設定温度又はその設定温度に対して所定温度範囲の温水を出湯することができる。尚、この所定温度範囲を広くすると、設定出湯温度と温度差が大きい温水が出湯されるようになるので、例えば±２ｄｅｇ〜±３ｄｅｇ程度に設定される。
【００１１】
また、本発明の請求項２に記載の貯湯式給湯システムでは、前記貯湯タンクから前記出湯手段に送給される温水の温度を検知するための温度検知センサが設けられ、前記省エネ優先モードが設定された場合において、前記出湯温度設定手段による設定出湯温度と前記温度検知センサの検知温度との温度差が基準温度範囲内であると、前記貯湯タンクからの温水がそそまま前記出湯手段を通して出湯されることを特徴とする。
【００１２】
この貯湯式給湯システムにおいては、出湯手段に給湯される温水の温度を検知するための温度検知センサが設けられ、省エネ優先モードが設定された場合、設定出湯温度と温度検知センサの検知温度との温度差が基準温度範囲内、例えば±２℃であると、貯湯タンク内の温水がそのまま出湯手段を通して出湯されるので、省エネ性を優先して、設定温度又はその設定温度に対して所定温度範囲の温水を出湯することができる。
【００１３】
また、本発明の請求項３に記載の貯湯式給湯システムは、熱を発生する熱源機と、前記熱源機からの熱を温水として貯える貯湯タンクと、温水を出湯する出湯手段と、前記貯湯タンクから前記出湯手段に送給される温水の給湯量を調整するための給湯量調整弁と、前記出湯手段に送給される水の給水量を調整するための給水量調整弁と、前記温水の出湯温度を設定する出湯温度設定手段と、前記給湯量調整弁及び前記給水量調整弁を制御するための制御手段と、を具備する貯湯式給湯システムであって、
前記出湯手段から出湯する温水の出湯モードを設定するための出湯モード設定手段が設けられ、前記出湯モード設定手段により温度優先モード及び省エネ優先モードの設定が可能であり、
前記出湯モード設定手段により温度優先モードが設定された場合、前記制御手段は、前記出湯手段の出湯温度が設定温度となるように前記給湯量調整弁及び前記給水量調整弁を制御し、前記出湯モード設定手段により省エネ優先モードが設定された場合、前記制御手段は、前記貯湯タンク内の温水の残量が第１所定量になるまでは、前記出湯手段の出湯温度が設定温度となるように前記給湯量調整弁及び前記給水量調整弁を制御し、前記貯湯タンクの内の温水の残量が前記第１所定量になると、前記出湯手段の出湯温度が前記設定温度より低い下方修正温度となるように前記給湯量調整弁及び給水量調整弁を制御することを特徴とする。
【００１４】
この貯湯式給湯システムにおいては、出湯モードが温度優先モード及び省エネ優先モードに設定可能に構成されている。温度優先モードを設定すると、制御手段は、出湯手段からの温水の出湯温度が設定温度となるように給湯量調整弁及び給水量調整弁を制御し、従って、従来と同様に、出湯温度を優先して、設定温度の温水を出湯することができる。また、省エネ優先モードを設定すると、貯湯タンク内の温水の残量が第１所定量、例えば２０％になるまでは、制御手段は、出湯手段からの温水の出湯温度が設定温度となるように給湯量調整弁及び給水量調整弁を制御するが、その残量が第１所定量になると、この制御手段は、出湯手段の出湯温度が設定温度より低い下方修正温度、例えば設定出湯温度より２〜３ｄｅｇ程度低い温度となるように給湯量調整弁及び給水量調整弁を制御する。このように貯湯タンクの温水が少なくなると、その出湯温度が下方修正されて貯湯温水の使用量が少なくなるので、貯湯タンクの湯切れの発生を少なくすることができる。尚、温水の残量としての第１所定量は、貯湯タンクの容積全体に対する割合でもよく、或いは過去の給湯熱負荷に基づいて演算される予測給湯熱負荷の将来の給湯熱負荷に対する割合でもよい。
【００１５】
また、本発明の請求項４に記載の貯湯式給湯システムでは、前記制御手段は、前記省エネ優先モードが設定された場合において、前記貯湯タンク内の温水の残量が前記第１所定量よりも少ない第２所定量になると、前記出湯手段からの出湯量が設定出湯量より少ない下方修正出湯量となるように前記給湯量調整弁及び前記給水調整弁を制御することを特徴とする。
【００１６】
この給湯式貯湯システムにおいては、省エネ優先モードが設定された場合において、貯湯タンクの温水が減少してその残量が第２所定量、例えば１０％になると、制御手段は出湯手段からの出湯量が設定出湯量よりも少ない下方修正出湯量、例えば１０〜２０％少ない出湯量となるように給湯量調整弁及び給水量調整弁を制御するので、貯湯タンクの温水が更に少なくなった段階で次に出湯量が絞られ、これによって、貯湯温水の使用量が更に少なくなり、貯湯タンクの湯切れの発生を少なくすることができる。
【００１７】
また、本発明の請求項５に記載の貯湯式給湯システムは、熱を発生する熱源機と、前記熱源機からの熱を温水として貯える貯湯タンクと、温水を出湯する出湯手段と、前記貯湯タンクから前記出湯手段に送給される温水の給湯量を調整するための給湯量調整弁と、前記出湯手段に送給される水の給水量を調整するための給水量調整弁と、前記温水の出湯温度を設定する出湯温度設定手段と、前記給湯量調整弁及び前記給水量調整弁を制御するための制御手段と、を具備する貯湯式給湯システムであって、
前記出湯手段から出湯する温水の出湯モードを設定するための出湯モード設定手段が設けられ、前記出湯モード設定手段により温度優先モード及び省エネ優先モードの設定が可能であり、
前記出湯モード設定手段により温度優先モードが設定された場合、前記制御手段は、前記出湯手段からの出湯量が設定出湯量となるように前記給湯量調整弁及び前記給水量調整弁を制御し、前記出湯モード設定手段により省エネ優先モードが設定された場合、前記制御手段は、前記貯湯タンク内の温水の残量が所定量になるまでは、前記出湯手段からの出湯量が設定出湯量となるように前記給湯量調整弁及び前記給水量調整弁を制御し、前記貯湯タンクの内の温水の残量が前記所定量になると、前記出湯手段からの出湯量が前記設定出湯量より低い下方修正出湯量となるように前記給湯量調整弁及び給水量調整弁を制御することを特徴とする。
【００１８】
この貯湯式給湯システムにおいては、出湯モードが温度優先モード及び省エネ優先モードに設定可能に構成されている。温度優先モードを設定すると、制御手段は、出湯手段からの温水の出湯量が設定出湯量となるように給湯量調整弁及び給水量調整弁を制御し、従って、従来と同様に、設定温度の温水を所要の通りに出湯することができる。また、省エネ優先モードを設定すると、貯湯タンク内の温水の残量が所定量、例えば２０％になるまでは、制御手段は、出湯手段からの温水の出湯量が設定出湯量となるように給湯量調整弁及び給水量調整弁を制御するが、その残量が所定量になると、この制御手段は、出湯手段の出湯量が設定出湯量より低い下方修正出湯量、例えば設定出湯量より１０〜２０％絞った出湯量となるように給湯量調整弁及び給水量調整弁を制御する。貯湯タンクの温水が少なくなると、出湯手段からの出湯量が下方修正されて少なくなるので、貯湯温水の使用量が少なくなり、このようにしても貯湯タンクの湯切れの発生を少なくすることができる。この場合における温水の残量としての所定量は、貯湯タンクの容積全体に対する割合でもよく、或いは過去の給湯熱負荷に基づいて演算される予測給湯熱負荷の将来の給湯熱負荷に対する割合でもよい。
【００１９】
また、本発明は、熱を発生する熱源機と、前記熱源機からの熱を温水として貯える貯湯タンクと、温水を出湯する出湯手段と、前記貯湯タンクから前記出湯手段に送給される温水の給湯量を調整するための給湯量調整弁と、前記出湯手段に送給される水の給水量を調整するための給水量調整弁と、前記温水の出湯温度を設定するための出湯温度設定手段と、前記給湯量調整弁及び前記給水量調整弁を制御するための制御手段と、を具備する貯湯式給湯システムであって、
前記出湯手段から出湯する温水の出湯モードを設定するための出湯モード設定手段が設けられ、前記出湯モード設定手段により温度優先モード及び省エネ優先モードの設定が可能であり、
前記出湯モード設定手段により省エネ優先モードが設定された場合、前記制御手段は、前記貯湯タンクの現時点の貯湯量と将来の予測給湯熱負荷を用いて所定時間先までの間の熱需要を判定し、前記現時点の貯湯量で所定時間先までの熱需要をまかないきれないと判定したときに前記給湯量調整弁を制御して温水の使用量を少なくすることを特徴とする。
【００２０】
この貯湯式給湯システムにおいては、出湯モードが温度優先モード及び省エネ優先モードに設定可能に構成されている。省エネ優先モードに設定すると、貯湯タンクの現時点の貯湯量と将来の予測給湯熱負荷を用いて所定時間（例えば１〜３時間程度に設定される）先までの間の熱需要が判定される。そして、所定時間先までの熱需要がまかないきれないと給湯量調整弁が制御されて温水の使用量が少なくなり、このように温水の使用量を制御することによって、将来の熱需要を考慮しながら貯湯タンクの湯切れの発生を少なくすることができる。熱需要の判定を行う際には、貯湯タンクの現時点の貯湯量及び予測給湯熱負荷に加えて熱源機の予測稼動パターンを考慮するようにしてもよい。尚、給湯量調整弁により温水の使用量が少なくなると、出湯手段からの温水の出湯温度が幾分低くなるか、或いは温水の出湯量が幾分少なくなる。
【００２１】
更に、本発明の請求項７の貯湯式給湯システムでは、前記熱源機は、熱及び電力を発生する熱電併給装置から構成され、前記熱電併給装置には、冷却水を循環するための冷却水循環流路が設けられ、前記貯湯タンクには内部の水を循環するための循環流路が設けられ、前記冷却水循環流路と前記循環流路との間には、冷却水と水との間で熱交換を行うための熱交換器とが設けられていることを特徴とする。
【００２２】
この貯湯式給湯システムにおいては、熱電併給装置を備えたコージェネレーションシステムに適用され、熱電併給装置からの排熱が、冷却水循環流路、熱交換器及び循環流路を介して貯湯タンクに温水として貯えられる。
【００２３】
【発明の実施の形態】
以下、添付図面を参照して、本発明に従う貯湯式給湯システムの実施形態について説明する。
【００２４】
第１の実施形態
図１〜図３を参照して、本発明に従う貯湯式給湯システムの第１の実施形態について説明する。図１は、第１の実施形態の貯湯式給湯システムを適用したコージェネレーションシステムの一例を簡略的に示す図であり、図２は、図１のコージェネレーションシステムの制御系を簡略的に示すブロック図であり、図３は、図１の給湯システムの出湯制御を示すフローチャートである。
【００２５】
図１において、図示の貯湯式給湯システムは、家庭用コージェネレーションシステムに適用されており、電力と熱とを発生する熱電併給装置２（熱を発生する熱源機を構成する）と、熱電併給装置２にて発生した熱を回収して温水として貯える貯湯装置４とを備えている。この形態では、熱電併給装置２は、内燃機関６（例えばガスエンジン、ディーゼルエンジンから構成される）及び内燃機関６により駆動される発電装置８の組合せから構成され、内燃機関６にて発生する排熱が後述する如くして貯湯装置４に貯えられる。尚、熱源機としての熱電併給装置を例えば燃料電池、外燃機関と発電装置との組合せなどから構成するようにしてもよい。
【００２６】
発電装置８の出力側には系統連係用のインバータ１０が設けられ、このインバータ１０は発電装置８の出力電力を商業系統１２から供給される電力と同じ電圧及び周波数にする。商用系統１２は電力供給ライン１４を介して各家庭の電力負荷１６（例えば、テレビ、冷蔵庫、洗濯機、照明装置など）に接続され、インバータ１０はコージェネ用供給ライン１８を介して電力供給ライン１４に電気的に接続され、発電装置８からの発電電力がインバータ１０及びコージェネ用供給ライン１８を介して電力負荷１６に供給される。
【００２７】
貯湯装置４は、温水を貯湯するための貯湯タンク２０と、貯湯タンク２０内の水（温水）を循環するための循環流路２２とを備え、循環流路２２の一端側が貯湯タンク２０の底部に接続され、その他端側が貯湯タンク２０の上端部に接続されている。この循環流路２２には、熱交換器２４及び温水循環ポンプ２６が配設されている。従って、温水循環ポンプ２６が作動すると、貯湯タンク２０の底部の水（温水）が循環流路２２を通して流れ、熱交換器２４にて後述する如く熱交換された後その上端部に流れ、このようにして貯湯タンク４内の水が加熱される。補助ボイラ２８が作動する（燃焼する）と、この補助ボイラ２８によって、貯湯タンク２０から出湯用カラン３４に送給される水（温水）が加熱される。
【００２８】
この貯湯タンク２０の底部には、更に、水（例えば水道水）を供給するためのタンク給水流路３０が接続され、その上端部には、温水を送給するための給湯流路３２が接続され、この給湯流路３２には補助ボイラ２８が配設されるとともに、その下流端に出湯用カラン３４（出湯手段を構成する）が接続される。また、出湯用カラン３４には、水道水の如き水を送給する給水流路３６が接続される。給湯流路３２には給湯量調整弁３８が配設され、給水流路３６には給水量調整弁４０が配設され、給湯量調整弁３８及び給水調整弁４０を開閉制御することによて、出湯用カラン３４から出湯する温水の出湯量及び出湯温度を所望の通りにすることができる。
【００２９】
熱電併給装置２は、内燃機関６の冷却水を循環する冷却水循環流路４２を含み、この冷却水循環流路４２が、循環流路２２に配設された熱交換器２４に接続されている。従って、冷却水は内燃機関６及び熱交換器２４を通して循環され、熱交換器２４において、冷却水循環流路４２を流れる冷却水と循環流路２２を流れる水（温水）との間で熱交換が行われて循環流路２０を流れる温水が加熱され、このようにして熱電併給装置２の排熱が温水として貯湯タンク２０に貯えられる。尚、冷却水循環流路４２には、冷却水を循環するための冷却水循環ポンプ４４が配設されている。
【００３０】
図２をも参照して、この給湯システムは、例えばマイクロプロセッサから構成される制御手段４６によって作動制御される。図示の制御手段４６は、作動制御手段４８、温度差演算手段５０、補助ボイラ作動判定手段５２、ボイラ作動信号生成手段５４、作動停止範囲設定手段５６及びメモリ５８を含んでいる。作動制御手段４８は給湯システムを含むコージェネレーションシステムの各種構成要素、例えば内燃機関６、インバータ１０、温水循環ポンプ２６、冷却水循環ポンプ４４、補助ボイラ２８、給湯量調整弁３８及び給水量調整弁４０などを作動制御する。温度差演算手段５０は設定出湯温度と給湯流路３２を通して給湯される温水の温度との差を演算する。
【００３１】
補助ボイラ作動判定手段５２は、補助ボイラ２８を作動させるか否かを後述する如く判定し、ボイラ作動信号生成手段５４は、後述する如くしてボイラ作動信号を生成する。また、作動停止温度範囲設定手段５６は、後述する如くして補助ボイラ２８が作動しない温度範囲を設定する。メモリ５８には、ボイラ作動信号を生成する温度範囲（設定出湯温度より高くする温度であって、例えば５ｄｅｇ程度に設定される）、作動停止温度範囲（例えば、設定出湯温度を基準に設定される温度範囲であって、例えば±２ｄｅｇ程度に設定される）などが登録される。
【００３２】
この形態では、出湯用カラン３４からの温水の出湯温度の設定などは、リモコン６０により行うように構成されている。リモコン６０は、出湯温度を設定する出湯温度設定手段６２と、出湯モードを設定する出湯モード設定手段６４とを備えている。出湯温度設定手段６２はアップスイッチ６６及びダウンスイッチ６８から構成され、アップスイッチ６６（又はダウンスイッチ６８）を押圧する毎に、設定出湯温度が１度ずつ上昇（又は低下）する。出湯モード設定手段６２は、例えばモード選択スイッチから構成されている。この形態では、設定モード設定手段６４により、温度優先モード及び省エネ優先モードに設定可能に構成され、モード選択スイッチを押圧する毎に温度優先モードと省エネ優先モードとが交互に設定される。
【００３３】
この実施形態では、貯湯タンク２０内の上端部に第１温度センサ７０（温度検知手段を構成する）が設けられ、第１温度センサ７０は貯湯タンク２０内の頂部の温水の温度、換言すると給湯流路３２を通して送給される温水の温度を検知する。また、出湯用カラン３４に第２温度センサ７２が配設され、第２温度センサ７２は出湯用カラン３４から出湯される温水の温度を検知する。
【００３４】
次に、図１及び図２とともに図３を参照して、上述したコージェネレーションシステムに適用された給湯システムによる出湯制御について説明する。
【００３５】
出湯用カラン３４から温水を出湯するには、リモコン６０の出湯モード設定手段６４を操作して出湯モードの設定を行う（ステップＳ１）。出湯モード設定手段６４により温度優先モードを設定した場合、ステップＳ２からステップＳ３に進み、温度優先でもって出湯用カラン３４から温水が出湯される。また、出湯モード設定手段６４により省エネ優先モードを設定した場合、ステップＳ２からステップＳ４を経てステップＳ５に進み、省エネ性を優先して出湯用カラン３４から温水が出湯される。
【００３６】
温度優先モードを設定した場合、リモコン６０の出湯温度設定手段６２を操作して出湯温度を設定する（ステップＳ３）。そして、出湯用カラン３４を開栓してステップＳ６からステップＳ７に進むと、制御手段４６の温度差演算手段５０が設定出湯温度（出湯温度設定手段６２により設定した温度）と貯湯タンク２０内の温水の温度（第１温度センサ７０の検知温度）との差を演算し、貯湯タンク２０内の温水の温度Ｔ１が設定出湯温度Ｔ０よりも所定温度ＴＳ、例えば５ｄｅｇ以上高い（Ｔ１≧Ｔ０＋ＴＳ）と、貯湯タンク２０内の温水と給水流路からの水とを混合して設定出湯温度の温水を生成することができとしてステップＳ８からステップＳ１１に進む。
【００３７】
一方、貯湯タンク２０内の温水の温度Ｔ１が設定出湯温度Ｔ０に所定温度ＴＳを加えた温度より低い（Ｔ１＜Ｔ０＋ＴＳ）と、貯湯タンク２０内の温水を用いて所定設定温度の温水を生成するのが難しいとしてステップＳ８からステップＳ９に進み、補助ボイラ作動判定手段５２が作動判定し、ボイラ作動信号生成手段５４がボイラ作動信号を生成し、このボイラ作動信号に基づいて補助ボイラ２８が作動される（ステップＳ１０）。従って、貯湯タンク２２から循環流路２２を通して水（温水）が流れ、かく流れる水（温水）が補助ボイラ２８で加熱され、かく加熱された温水が貯湯タンク２０の上部に流入し、このように加熱された温水が給湯流路３２を通して出湯用カラン３４に送給される。
【００３８】
このようにしてステップＳ８からステップ１１に、又はステップＳ８からステップＳ９及びステップＳ１０を経てステップＳ１１移ると、制御手段４６は出湯用カラン３４からの温水の温度が設定出湯温度となるように給湯量調整弁３８及び給水量調整弁４０を開閉制御する。出湯用カラン３４からこのように温水が出湯するので、その出湯温度は常時設定出湯温度に維持され、温度優先で温水が出湯される。
【００３９】
省エネ優先モードを設定した場合も、リモコン６０の出湯温度設定手段６２を操作して出湯温度を設定する（ステップＳ５）。そして、出湯用カラン３４を開栓してステップＳ１３からステップＳ１４に進むと、制御手段４６の温度差演算手段５０が設定出湯温度と貯湯タンク２０内の温水の温度との差を演算し、貯湯タンク２０内の温水の温度Ｔ１が設定出湯温度Ｔ０よりも所定温度ＴＳ、例えば５ｄｅｇ以上高い（Ｔ１≧Ｔ０＋ＴＳ）と、ステップＳ１５からステップＳ１６に進み、上述したと同様に、制御手段４６は出湯用カラン３４からの温水の温度が設定出湯温度となるように給湯量調整弁３８及び給水量調整弁４０を開閉制御すし、出湯用カラン３４から設定出湯温度の温水が出湯される。
【００４０】
一方、貯湯タンク２０内の温水の温度Ｔ１が設定出湯温度Ｔ０に所定温度ＴＳを加えた温度より低く（Ｔ１＜Ｔ０＋ＴＳ）、且つ貯湯タンク２０の温水の温度Ｔ１が設定出湯温度Ｔ０との温度差が２ｄｅｇ以内である（±２ｄｅｇ≧Ｔ１−Ｔ０）と、ステップＳ１４からステップＳ１５及びステップＳ１８を経てステップＳ１９に進む。このときには、貯湯タンク２０内の温水の温度は設定出湯温度と実質上等しい又はほとんど温度差がなく、貯湯タンク２２内の温水が給湯流路３２を通して出湯用カラン３４に送給され、給水流路３６からの水と実質上混合されることなく、そのまま出湯用カラン３４から出湯され、その出湯温度は、設定出湯温度又はほぼその温度となる。このようなとき、その出湯温度を設定出湯温度に正確に維持しようとすると、温度優先モードで説明したように、補助ボイラ２８で加熱して温水の温度をある程度上昇させる必要があるが、ほとんど影響のない温度範囲においては、補助ボイラ２８を作動させるよりも、その温度状態の温水をそのまま出湯用カラン３４から出湯させた方がエネルギーを消費することがなく、このようにして省エネ性の向上をはかっている。
【００４１】
また、貯湯タンク２０内の温水の温度Ｔ１が設定出湯温度Ｔ０に所定温度ＴＳを加えた温度より低く（Ｔ１＜Ｔ０＋ＴＳ）、且つ貯湯タンク２０の温水の温度Ｔ１が設定出湯温度Ｔ０との温度差が２ｄｅｇより大きい（±２ｄｅｇ≦Ｔ１−Ｔ０）と、上述したように、貯湯タンク２０内の水（温水）を加熱する必要があり、ステップＳ１４からステップＳ１５及びステップ１８を経てステップＳ２０に移り、上述したと同様に、補助ボイラ作動判定手段５２が作動判定し、ボイラ作動信号生成手段５４がボイラ作動信号を生成し、このボイラ作動信号に基づいて補助ボイラ２８が作動され（ステップＳ２１）、制御手段４６は出湯用カラン３４からの温水の温度が設定出湯温度となるように給湯量調整弁３８及び給水量調整弁４０を開閉制御する（ステップＳ１２）。
【００４２】
このような給湯システムにおいては、リモコン６０に液晶表示装置などの表示装置を設け、出湯温度設定手段６２によって設定した設定出湯温度及び／又は出湯用カラン３４からの出湯温度（第２温度センサ７２の検知温度）を表示するようにしてもよく、このようにすることによって、使用者が設定した設定出湯温度及び／又は出湯温度を容易に知ることができる。また、この表示装置に貯湯タンク２０内の温水の温度（第１温度センサ７０の検知温度）を表示するようにしてもよく、この貯湯温度を表示することによって、補助ボイラ２８の作動なしに得ることができる温水の出湯温度を容易に知ることができ、これによって、給湯システムの出湯温度の設定を省エネ性を考慮して設定することが可能となる。
【００４３】
第２の実施形態
図４及び図５を参照して、本発明に従う貯湯式給湯システムの第２の実施形態について説明する。図４は、第２の実施形態の貯湯式給湯システムを適用したコージェネレーションシステムの制御系を簡略的に示すブロック図であり、図５は、図４の給湯システムの出湯制御を示すフローチャートである。この第２の実施形態においては、貯湯タンク内の温水が少なくなると、出湯温度が下方修正されて温水が出湯されるように構成されている。尚、第２の実施形態において、第１の実施形態と実質上同一の部材には同一の番号を付し、その説明を省略する。
【００４４】
図２において、図示の貯湯式給湯システムも、第１の実施形態と同様に、家庭用コージェネレーションシステムに適用されており、その基本的構成は、第１の実施形態と実質上同一である。
【００４５】
第２の実施形態における制御手段４６Ａは、作動制御手段４８及び温度差演算手段５０に加えて、出湯温度下方修正手段８２、出湯流量下方修正手段８４及び給湯量演算手段８６を含んでいる。出湯温度下方修正手段８２は、出湯温度設定手段６２により設定された設定出湯温度を後述するように下方修正し、出湯流量下方修正手段８４は、貯湯タンク２２から出湯用カラン３４に送給される温水の給湯量を下方修正し、このように給湯量を修正して出湯用カラン３４からの出湯量を修正する。また、給湯量演算手段８６は給湯流路３２を通して給湯される温水の給湯量を演算する。給湯流路３２には流量センサ８８が配設され、給湯量演算手段８６はこの流量センサ８８からの検知流量に基づいて給湯量を演算する。
【００４６】
この第２の実施形態では、更に、貯湯タンク２０内に第３及び第４温度センサ９０，９２が配設される。第３温度センサ９０は貯湯タンク２０の上端から例えば１／５程度の個所に設けられ、第４温度センサ９２は貯湯タンク２０の上端から例えば１／１０の個所に設けられる。このような貯湯タンク２２（図１参照）では、水は貯湯タンク２０の底部から流入し、温水は貯湯タンク２０の上端部から流入するので、この貯湯タンク２０内の温度状態は、上側が温水で、下側が水となり、温水境界部で温度状態が貯湯温度から水温に急激に変化する。このようなことから、第３温度センサ９０が水温（即ち、温水境界部）を検知すると、貯湯タンク２０内の温水の残量が約２０％となり、第４温度センサ９２が水温（即ち、温水境界部）を検知すると、貯湯タンク２０内の温水の残量が約１０％となる。第２の実施形態のその他の構成は、上述した第１の実施形態と実質上同一である。
【００４７】
次に、図４とともに図５を参照して、上述したコージェネレーションシステムに適用された第２の実施形態の給湯システムによる出湯制御について説明する。
【００４８】
出湯用カラン３４から温水を出湯するには、リモコン６０の出湯モード設定手段６４を操作して出湯モードの設定を行う（ステップＳ３１）。出湯モード設定手段６４により温度優先モードを設定した場合、ステップＳ３２からステップＳ３３に進み、温度優先でもって出湯用カラン３４から温水が出湯される。また、出湯モード設定手段６４により省エネ優先モードを設定した場合、ステップＳ３２からステップＳ３４を経てステップＳ５５に進み、省エネ性を優先して出湯用カラン３４から温水が出湯される。
【００４９】
温度優先モードを設定した場合、リモコン６０の出湯温度設定手段６２を操作して出湯温度を設定し（ステップＳ３３）、その後、出湯用カラン３４を開栓する。かくすると、ステップＳ３６からステップＳ３７に進み、出湯用カラン３４から設定出湯温度及び設定出湯量（開栓量により設定された出湯量）の温水が出湯され、出湯用カラン３４を閉栓するまで、設定出湯温度及び設定出湯量での温水の出湯が行われ、温度優先でもって行われる。この設定温度による出湯は、上述したように、給湯量調整弁３８及び給水量調整弁４０を所要の通りに開閉制御し、給湯流路３２からの温水と給水流路３６からの水との混合比率を調整して設定出湯温度の温水を生成することによって行われ、貯湯タンク２０の温水の温度が低いときには、補助ボイラ２８により加熱された温水が給湯流路３２を通して送給される。
【００５０】
省エネ優先モードを設定した場合も、リモコン６０の出湯温度設定手段６２を操作して出湯温度を設定し（ステップＳ３５）、その後、出湯用カラン３４を開栓する。かくすると、ステップＳ３９からステップＳ４０に進み、第３温度センサ９０が貯湯タンク２０内の温水境界部を検知したか（換言すると、水温を検知したか）が判断され（ステップＳ４０）、次いで、第４温度センサ９２が貯湯タンク２０内の温水境界部を検知したかが判断される（ステップＳ４１）。
【００５１】
第３及び第４温度センサ９０，９２が水を検知しない、即ち温水境界部を検知しないときには、ステップＳ４２に進む。このときには、貯湯タンク２０に充分な温水が貯湯されており、従って、温度優先モードのときと同様に、出湯温度設定手段６２により設定された出湯温度で温水が出湯する。
【００５２】
出湯用カラン３４からの温水の出湯により貯湯タンク２０内の温水を使用して温水境界部が第３温度センサ９０まで移動する（即ち、水の層が第３温度センサ９０まで上昇する）と、第３温度センサ９０が水を検知するようになる。かくすると、ステップＳ４１からステップＳ４４に進み、出湯温度下方修正手段８２は設定出湯温度を例えば２ｄｅｇ下方に修正し、下方修正された出湯温度でもって温水が出湯される。このように出湯温度を少し下げることによって、使用者がほとんど温水の温度が変わったことを感じることとなく、貯湯タンク２０内の温水の使用量を抑えることができ、貯湯タンク２２の湯切れの発生を少なくすることができる。
【００５３】
貯湯タンク２０内の温水を更に使用して温水境界部が第４温度センサ９０まで移動する（即ち、水の層が第４温度センサ９２まで上昇する）と、第３及び第４温度センサ９０，９２が水を検知するようになる。かくすると、ステップＳ４１からステップＳ４５に進み、出湯流量下方修正手段８４は設定出湯流量を例えば約１０％下方に修正し、下方修正された出湯流量でもって温水が出湯される。この形態では、給湯流路３２を通して給湯される温水の流量が給湯量調整弁３８によって約１０％絞られ、給水流路３６を通して給水される水の流量も約１０％絞られ、このようにして下方修正出湯温度を維持しながら温水の出湯量が約１０％絞られて出湯される。このように出湯温度を少し下げるとともに出湯量を少し下げることによって、使用者がほとんど温水の温度及び温水の出湯量が変わったことを感じることとなく、貯湯タンク２０内の温水の使用量を更に抑えることができ、貯湯タンク２２の湯切れの発生を更に少なくすることができる。
【００５４】
上述した実施形態では、貯湯タンク２０内の温水の使用状況に応じて出湯温度及び出湯量の双方を下方修正しているが、出湯温度のみを下方修正するようにしてもよく、或いは出湯量のみを下方修正するようにしてもよい。尚、出湯温度を下方修正する場合、貯湯タンク２０内の温水の使用状況に応じてステップ状に段階的に下方修正するようにしてもよく、また出湯量を下方修正する場合も、貯湯タンク２０の温水の使用状況に応じてステップ状に段階的に下方修正するようにしてもよい。
【００５５】
また、上述した実施形態では、貯湯タンク２０内の温水の全体の容積に対する残量に応じて出湯温度及び出湯量を下方修正しているが、温水の将来の予測給湯熱負荷に対する残量に応じて出湯温度及び出湯量を下方修正するようにしてもよい。この場合、制御手段４６Ａは過去の給湯熱負荷データに基づいて将来の給湯熱負荷を予測し、この予測給湯熱負荷に基づいて熱電併給装置２の運転スケジュールが設定され、このように運転スケジュールを設定する際のパラメータの一つである予測給湯熱負荷データが用いられる。尚、このような予測給湯熱負荷を用いたコージェネレーションシステムの運転制御については、例えば特開２００２−２１３３０３号公報を参照されたい。
【００５６】
また、上述した構成に代えて、次のように構成するようにしてもよい。即ち、省エネ優先モードを設定した場合、制御手段４６Ａが現時点における貯湯タンク２０内の温水の蓄熱量を演算し、この現蓄熱量と過去の給湯負荷データによって予測される予測給湯熱負荷及びこの予測給湯熱負荷などを用いて設定される将来の熱電併給装置２の稼動パターンを用いて、所定時間（例えば２時間程度）先までの間の熱需要（給湯のみの場合、給湯熱需要）を判定するようにする。そして、現時点の蓄熱量でもって所定時間先までの熱需要をまかないきれないときに、制御手段４６Ａが給湯量調整弁３８を制御して給湯流路３２を通して給湯される温水の流量を絞って温水の使用量を少なくするようにしてもよい。このとき、給湯量調節弁３８のみを絞ると温水のみの使用量が少なくなって温水の出湯温度が下がるので、同時に給水量調整弁４０も絞って水の使用量も少なくするようにしてもよく、このように温水の使用量を少なくする結果、出湯温度が幾分低下する、又は、出湯量が幾分少なくなるようになる。
【００５７】
また、上述した実施形態では、温度優先モードと省エネ優先モードに設定可能に構成しているが、この省エネ優先モードを温度修正モードと流量修正モードとに分けて設定可能なようにしてもよく、或いはこの省エネ優先モードを温度修正モードと、流量修正モードと温度・流量修正モードとに分けて設定可能なようにしてもよい。温度修正モードでは、貯湯タンク２０内の温水の使用状況に応じて設定出湯温度が下方修正され、流量修正モードでは、貯湯タンク２０内の温水の使用状況に応じて設定出湯量が下方修正され、更に温度・流量修正モードでは、貯湯タンク２０内の温水の使用状況に応じて設定出湯温度及び設定出湯量が下方修正される。
【００５８】
以上、本発明に従う貯湯式給湯システムの実施形態について説明したが、本発明はこれら実施形態に限定されるものではなく、本発明の範囲を逸脱することなく種々の変形乃至修正が可能である。
【００５９】
【発明の効果】
本発明の請求項１に記載の貯湯式給湯システムによれば、出湯モードが温度優先モード及び省エネ優先モードに設定可能に構成され、省エネ優先モードを設定すると、制御手段は、出湯手段からの温水の出湯温度が設定温度対して所定温度範囲になるように給湯量調整弁及び給水量調整弁を制御するので、貯湯タンク内の温水の温度が設定出湯温度と等しい又はこれとほとんど温度差がないときには、補助ボイラが作動することがなく、省エネ性を優先して、設定温度又はその設定温度に対して所定温度範囲の温水を出湯することができる。
【００６０】
また、本発明の請求項２に記載の貯湯式給湯システムによれば、省エネ優先モードが設定された場合、設定出湯温度と温度検知センサの検知温度との温度差が基準温度範囲内であると、貯湯タンク内の温水がそのまま出湯手段を通して出湯されるので、省エネ性を優先して、設定温度又はその設定温度に対して所定温度範囲の温水を出湯することができる。
【００６１】
また、本発明の請求項３に記載の貯湯式給湯システムによれば、出湯モードが温度優先モード及び省エネ優先モードに設定可能に構成され、省エネ優先モードにおいて貯湯タンクの温水が少なくなると、その出湯温度が下方修正されて貯湯温水の使用量が少なくなるので、貯湯タンクの湯切れの発生を少なくすることができる。
【００６２】
また、本発明の請求項４に記載の貯湯式給湯システムによれば、省エネ優先モードにおいて貯湯タンクの温水が減少してその残量が第２所定量になると、制御手段は出湯手段からの出湯量が設定出湯量よりも少ない下方修正出湯量となるように給湯量調整弁及び給水量調整弁を制御するので、貯湯タンクの温水が更に少なくなった段階で出湯量が絞られ、これによって、貯湯温水の使用量が更に少なくなり、貯湯タンクの湯切れの発生を少なくすることができる。
【００６３】
また、本発明の請求項５に記載の貯湯式給湯システムによれば、出湯モードが温度優先モード及び省エネ優先モードに設定可能に構成され、省エネ優先モードにおいて貯湯タンク内の温水の残量が所定量になると、この制御手段は、出湯手段の出湯量が設定出湯量より低い下方修正出湯量となるように給湯量調整弁及び給水量調整弁を制御するので、貯湯温水の使用量が少なくなり、これによって、貯湯タンクの湯切れの発生を少なくすることができる。
【００６４】
また、本発明の請求項６に記載の貯湯式給湯システムによれば、省エネ優先モードを設定すると、貯湯タンクの現蓄熱量と予測給湯熱負荷を用いて所定時間先までの熱需要が判定され、現蓄熱量で所定時間先までの熱需要をまかないきれないときに給湯量調整弁が制御されて温水の使用量が少なくなるので、将来の熱需要を考慮しながら貯湯タンクの湯切れの発生を少なくすることができる。
【００６５】
更に、本発明の請求項７の貯湯式給湯システムによれば、熱電併給装置を備えたコージェネレーションシステムに適用され、熱電併給装置からの排熱が、冷却水循環流路、熱交換器及び循環流路を介して貯湯タンクに温水として貯えられる。
【図面の簡単な説明】
【図１】第１の実施形態の貯湯式給湯システムを適用したコージェネレーションシステムの一例を簡略的に示す図である。
【図２】図１のコージェネレーションシステムの制御系を簡略的に示すブロック図である。
【図３】図１の給湯システムの出湯制御を示すフローチャートである。
【図４】第２の実施形態の貯湯式給湯システムを適用したコージェネレーションシステムの制御系を簡略的に示すブロック図である。
【図５】図４の給湯システムの出湯制御を示すフローチャートである。
【符号の説明】
２  熱電併給装置
４  貯湯装置
６  内燃機関
８  発電装置
１０  インバータ
１２  商用系統
１６  電力負荷
２０  貯湯タンク
２２  循環流路
２８  補助ボイラ
３２  給湯流路
３４  出湯用カラン
３６  給水流路
３８  給湯量調整弁
４０  給水量調整弁
４２  冷却水循環流路
４６，４６Ａ  制御手段
５０  温度差演算手段
５６  作動停止温度範囲設定手段
６０  リモコン
６２  出湯温度設定手段
６４  出湯モード設定手段
８２  出湯温度下方修正手段
８４  出湯流量下方修正手段
【図１】
2004257711.tif 000003
【図２】
2004257711.tif 000004
【図３】
2004257711.tif 000005
【図４】
2004257711.tif 000006
【図５】
2004257711.tif 000007